(57)【要約】【課題】  ユーザの希望する髪型に合った操作性の高い操作形状に簡単に変更することが可能なヘアードライヤを提供すること。【解決手段】  本発明のヘアーアイロン１は、送風装置１１を内蔵した本体ケース２と、側面に複数個の吹出し孔２４、５１が設けられ本体ケース２の先端部に取付けられた支持体２１と、複数の連通孔５６、６１を有し支持体２１の外周面の一部に当接するように支持体２１に作動自在に枢支された第１クリップ３０と、第１クリップ３０の一部に当接するように支持体２１に作動自在に枢支された第２クリップ４０と、からなるアイロン部材３と、を有し、支持体２１と第１クリップ３０との間に第１挟持領域が形成され、第１クリップ３０と第２クリップ４０との間に第２挟持領域が形成され、第１、第２挟持領域は互いに異なる形状に毛髪を挟持するようにその形状が異なっている。【選択図】  図３
2009136304.tif 000002
【特許請求の範囲】
【請求項１】
送風装置を内蔵した本体ケースと、
側面に複数個の吹出し孔が設けられ前記本体ケースの先端部に取付けられた支持体と、複数の連通孔を有し前記支持体の外周面の一部に当接するように該支持体に作動自在に枢支された第１クリップと、該第１クリップの一部に当接するように前記支持体に作動自在に枢支された第２クリップと、からなるアイロン部材と、
を有し、
前記支持体と前記第１クリップとの間に第１挟持領域が形成され、前記第１クリップと前記第２クリップとの間に第２挟持領域が形成され、前記第１、第２挟持領域は互いに異なる形状に毛髪を挟持するようにその形状が異なっていることを特徴とするヘアーアイロン。
【請求項２】
前記第１挟持領域は、前記支持体の外周面の一部に形成された平坦な第１支持面と、前記第１クリップに形成された前記第１支持面に当接する平坦な第１押さえ面と、からなり、前記第２挟持領域は、前記第１クリップの前記第１押さえ面の裏側に形成された円弧状の第２支持面と、前記第２クリップに形成された前記第２支持面に当接する円弧状の第２押さえ面と、からなることを特徴とする請求項１に記載のヘアーアイロン。
【請求項３】
前記連通孔は、前記第１クリップの前記第１押さえ面と前記第２支持面とを連通させるように複数個設けられていることを特徴とする請求項２に記載のヘアーアイロン。
【請求項４】
前記支持体の前記第１支持面を除く側壁と前記第１クリップの第２支持面とは、同一半径を有する円弧状に形成されていることを特徴とする請求項２に記載のヘアーアイロン。
【請求項５】
前記第１、第２クリップは、該第１、第２クリップを作動操作するための第１、第２作動レバーがそれぞれ形成されており、前記第２作動レバーが前記第１作動レバーの下方に位置するとともに、前記第１作動レバーは前記第２作動レバーより短尺に形成されていることを特徴とする請求項１に記載のヘアーアイロン。
【請求項６】
前記支持体は側壁に複数個の前記吹出し孔を有する円筒状部材で形成されており、該円筒状の支持体の内部にはスチーム発生器が配設されていることを特徴とする請求項１に記載のヘアーアイロン。
【請求項７】
前記第１クリップに形成された連通孔は、前記第１クリップが前記支持体に当接した状態で前記支持体に設けられた前記吹出し孔に連通するように設けられていることを特徴とする請求項１に記載のヘアーアイロン。
【請求項８】
前記本体ケース内には、イオン発生器が配設されていることを特徴とする請求項１に記載のヘアーアイロン。
【発明の詳細な説明】
【技術分野】
【０００１】
本発明はヘアーアイロンに係り、詳しくは１つのヘアーアイロンで異なる毛髪のくせ付けを行うことが可能なヘアーアイロンに関するものである。
【背景技術】
【０００２】
毛髪を挟んでカールやウェーブ等を行ったり、はね毛やくせ毛を真っ直ぐに矯正したりするヘアーアイロンが従来から知られている。
【０００３】
図６は下記特許文献１に開示された髪処理装置の側面図である。また、図７は下記特許文献２に開示されたヘアードライヤの分解斜視図である。
【０００４】
例えば、下記特許文献１に開示されている髪処理装置（ヘアーアイロン）は、図６に示すように、グリップ部１０１Ａと、グリップ部１０１Ａに隣接する処理部１０１Ｂとが隣接して設けてある挟持体１００を有し、挟持体１００は、対向配置した第１、第２の挟み腕１０２、１０３同士を揺動軸１０４で連結して、両挟み腕１０２、１０３が揺動軸１０４まわりに揺動開閉できるよう構成されており、第１挟み腕１０２は、送風用のファン１０９およびモータ１１０と、イオン発生装置１１１と、これらを収容するケース体１０８と、ケース体１０８に開口されるイオン吹出口１１３と、を含み、第２挟み腕１０３と対向するケース体１０８の周面に、ファン１０９用の吸風口１１５が開口した構成を備えているものである。加えて、この第１、第２の挟み腕１０２、１０３の対向面は、実質的に平坦面で形成されているとともに、この対向面には髪を挟持する髪挟み体１０５、１０６が形成されている。
【０００５】
また、下記特許文献２に開示されているヘアーアイロンは、図７に示すように、送風装置を内蔵した本体ケース２０１と、本体ケース２０１の先端部に配されるアイロンアタッチメント２０９とからなり、アイロンアタッチメント２０９は、本体ケース２０１に連結されて本体ケース２０１からの風を吹き出す整髪アタッチメントホルダー２１０と、整髪アタッチメントホルダー２１０の風吹出し面上に対し接離自在に取り付けられた髪押え板２１１とを有するヘアーアイロンにおいて、整髪アタッチメントホルダー２１０に、髪押え板２１１との間で髪を挟む整髪アタッチメント２２７を着脱自在に取り付けてあり、整髪アタッチメント２２７は、これの上半面２２７ａおよび下半面２２７ｂにそれぞれ風吹出し孔を設け、かつ上半面２２７ａの外形と下半面２２７ｂの外形とを異ならせて上下反転使用を可能にした構成を備えているものである。なお、整髪アタッチメント２２７の上下半面２２７ａ、２２７ｂは、図７からも分かるように、ほぼ円弧状に形成されており、円弧状に形成された面に合わせて、髪押え板２１１も円弧状に湾曲している。
【０００６】
以上のように、下記特許文献２に開示されたヘアーアイロンは、上記構成を備えることにより、アイロンアタッチメント２０９は本体ケース２０１に装着したままの状態で、そのセットに対応する整髪アタッチメント２２７のみを整髪アタッチメントホルダー２１０に対し取り替えることで足りる。その際、使用する整髪アタッチメント２２７は上半面２２７ａおよび下半面２２７ｂにそれぞれ風吹出し孔を設け、かつ上半面２２７ａの外形と下半面２２７ｂの外形とを異ならせてあるので、これを上下反転させて整髪アタッチメントホルダー２１０に付け替えることにより、上半面２２７ａまたは下半面２２７ｂの外形に対応した二種の異なる整髪が行える。
【０００７】
更にまた、下記特許文献３に開示されたヘアーアイロンは、毛髪を挟持する巻胴部分の断面がほぼ円形状のものである。
【特許文献１】特開２００３−３１０３３９号公報（請求項１、図１）
【特許文献２】実用新案登録公報第２５７０１０１５号公報（請求項１、段落［０００６］、図１）
【特許文献３】特開平１０−１１３２１２号公報（請求項１）
【発明の開示】
【発明が解決しようとする課題】
【０００８】
しかしながら、上記特許文献１〜３に開示されたヘアーアイロンのように、公知のヘアーアイロンの毛髪を挟持する部分は、平坦面であったり、円弧状であったり、円形状であったりと種々の形状が存在し、その形状に合わせて矯正しやすい髪型も変化する。すなわち、ユーザは自分の毛髪の質に合わせて最も使いやすいものを適宜選択することになる。
【０００９】
詳しく述べれば、上記特許文献１に開示された髪処理装置においては、第１、第２の挟み腕１０２、１０３の対向面が実質的に平坦面で形成されているので、例えばくせのある髪を真っ直ぐに矯正する場合には非常に操作性がよいが、カールやウェーブ等に形を変形する場合にはユーザの細かな操作を必要とする。また、上記特許文献２及び３に開示されたヘアーアイロンにおいては、挟持面が円弧状に湾曲しているので、上記特許文献１に開示された髪処理装置とは反対に、例えばカールやウェーブ等に形を変形する場合には非常に操作性がよいが、くせのある髪を真っ直ぐに矯正する場合などにはユーザの細かな操作を必要とする。
【００１０】
以上の理由により、ヘアーアイロンを使用するユーザが一人であれば適宜選択すればよいが、例えば一般家庭のように１つのヘアーアイロンを複数人で共有して使用し得る場合には、各人にとって操作性が良いものであるとは限らず、場合によっては各人がそれぞれ異なるヘアーアイロンを準備する必要が出てしまうことがあり得る。
【００１１】
さらには、ユーザがたとえ１人であってもその日の気分によって髪型を変更したい場合等には、上記特許文献１〜３に開示のヘアードライヤでは常に操作性の高いものであるとは言えない。
【００１２】
また、上記特許文献２にはアタッチメントの変更を可能とすることにより上記の問題点を解消することが可能である点が明記されているが、アタッチメントを変更する手間が生じる。
【００１３】
本発明は、上述したような課題を解決するためになされたものであって、本発明の目的は、ユーザの希望する髪型に合った操作性の高い操作形状に簡単に変更することが可能なヘアードライヤを提供することである。
【課題を解決するための手段】
【００１４】
上記目的を達成するために、本願の請求項１に記載のヘアーアイロンの発明は、送風装置を内蔵した本体ケースと、側面に複数個の吹出し孔が設けられ前記本体ケースの先端部に取付けられた支持体と、複数の連通孔を有し前記支持体の外周面の一部に当接するように該支持体に作動自在に枢支された第１クリップと、該第１クリップの一部に当接するように前記支持体に作動自在に枢支された第２クリップと、からなるアイロン部材と、を有し、前記支持体と前記第１クリップとの間に第１挟持領域が形成され、前記第１クリップと前記第２クリップとの間に第２挟持領域が形成され、前記第１、第２挟持領域は互いに異なる形状に毛髪を挟持するようにその形状が異なっていることを特徴とする。
【００１５】
また、請求項２に記載の発明は、請求項１に記載のヘアーアイロンにおいて、前記第１挟持領域は、前記支持体の外周面の一部に形成された平坦な第１支持面と、前記第１クリップに形成された前記第１支持面に当接する平坦な第１押さえ面と、からなり、前記第２挟持領域は、前記第１クリップの前記第１押さえ面の裏側に形成された円弧状の第２支持面と、前記第２クリップに形成された前記第２支持面に当接する円弧状の第２押さえ面と、からなることを特徴とする。
【００１６】
また、請求項３に記載の発明は、請求項２に記載のヘアーアイロンにおいて、前記連通孔は、前記第１クリップの前記第１押さえ面と前記第２支持面とを連通させるように複数個設けられていることを特徴とする。
【００１７】
また、請求項４に記載の発明は、請求項２に記載のヘアーアイロンにおいて、前記支持体の前記第１支持面を除く側壁と前記第１クリップの第２支持面とは、同一半径を有する円弧状に形成されていることを特徴とする。
【００１８】
また、請求項５に記載の発明は、請求項１に記載のヘアーアイロンにおいて、前記第１、第２クリップは、該第１、第２クリップを作動操作するための第１、第２作動レバーがそれぞれ形成されており、前記第２作動レバーが前記第１作動レバーの下方に位置するとともに、前記第１作動レバーは前記第２作動レバーより短尺に形成されていることを特徴とする。
【００１９】
また、請求項６に記載の発明は、請求項１に記載のヘアーアイロンにおいて、前記支持体は側壁に複数個の前記吹出し孔を有する円筒状部材で形成されており、該円筒状の支持体の内部にはスチーム発生器が配設されていることを特徴とする。
【００２０】
また、請求項７に記載の発明は、請求項１に記載のヘアーアイロンにおいて、前記第１クリップに形成された連通孔は、前記第１クリップが前記支持体に当接した状態で前記支持体に設けられた前記吹出し孔に連通するように設けられていることを特徴とする。
【００２１】
また、請求項８に記載の発明は、請求項１に記載のヘアーアイロンにおいて、前記本体ケース内には、イオン発生器が配設されていることを特徴とする。
【発明の効果】
【００２２】
本発明は上記構成を備えることにより、以下に示すような優れた効果を奏するものである。すなわち、請求項１の発明によれば、アイロン部材が第１挟持領域と第２挟持領域の２つの挟持領域を形成することができると共に、この第１、第２挟持領域がそれぞれ異なる形に毛髪把持することが可能な形状を備えているので、ユーザはアイロン部材を取り替えたり、別途異なる挟持形状を有するアイロンを準備したりすることなく、髪質に合った挟持領域を適宜選択するだけで所望の髪型に簡単に整髪することが可能となる。
【００２３】
また、請求項２の発明によれば、第１挟持領域の毛髪の挟持形状と、第２挟持領域の毛髪の挟持形状とを、支持体と第１、第２クリップの形状を調整することで簡単に変更することができるので、アイロン部材の形状が複雑になることがなく、低コストで製造することが可能となる。
【００２４】
また、請求項３の発明によれば、第１クリップに形成される連通孔を第１押さえ面と第２支持面との間を連通するように設けることにより、第２支持面への温風等の供給量を十分に確保することができるようになり、第２挟持領域による整髪も快適に実行することができるようになる。
【００２５】
また、請求項４の発明によれば、支持体の円弧状の側壁と第１クリップの第２支持面とが同一半径を有する円弧状に形成されることにより、第１支持面と第１押さえ面とを当接あるいは近接させた際に、アイロン部材がほぼ円筒状となるので、美観上好ましくなる。
【００２６】
また、請求項５の発明によれば、第２クリップの第２作動レバーが第１クリップの第１作動レバーの下方に位置するように形成し、さらに第２作動レバーを第１作動レバーより長尺に形成することにより、第２作動レバーを操作したときは第１作動レバーとは独立して第２作動レバーが動作し、第１作動レバーを操作したときは第１、第２作動レバーが同時に動作することになる。したがって各クリップを操作する際の操作性が向上する。
【００２７】
また、請求項６の発明によれば、支持体の内部にスチーム発生器を配設することにより、供給する温風にスチームを含有させることができ、毛髪にスチームを供給させながら整髪できるので、乾燥によって毛髪を痛めることなく整髪作業が行えるようになる。
【００２８】
また、請求項７の発明によれば、第１クリップに形成される連通孔を支持体の吹出し孔に連通するように設けることにより、支持体の吹出し孔から供給される温風等が外部に放出されることなく、温風を効率的に毛髪に供給することが可能となる。
【００２９】
また、請求項８の発明によれば、本体ケース内にイオン発生器を配設することにより、供給する温風にマイナスイオンを含有させることができ、毛髪にマイナスイオンを供給させながら整髪できるので、毛髪を痛めることなく整髪作業が行えるようになる。
【発明を実施するための最良の形態】
【００３０】
以下、図面を参照して本発明の最良の実施形態を説明する。但し、以下に示す実施形態は、本発明の技術思想を具体化するためのヘアーアイロンを例示するものであって、本発明をこのヘアーアイロンに特定することを意図するものではなく、特許請求の範囲に含まれるその他の実施形態のものも等しく適応し得るものである。
【実施例】
【００３１】
図１は本発明の一実施形態に係るヘアードライヤの斜視図、図２Ａは図１のヘアードライヤの平面図、図２Ｂは図２ＡのIIＡ−IIＡ線で切断した断面図、図３はアイロン部材の分解斜視図、図４は第１クリップ作動時のアイロン部材を示す斜視図、図５は第２クリップ作動時のアイロン部材を示す斜視図である。
【００３２】
本実施例に係るヘアーアイロン１は、内部に送風装置１１等を内蔵した本体ケース２と、本体ケース２に取付けられるアイロン部材３と、本体ケース２に接続されて外部電源から電力を供給する電源コード４と、から構成されている。なお、本実施例においては電源コード４を介して外部電源から電圧を得るものについて説明するが、本体ケース２内部に携帯可能な電源、例えば電池等を有していてもよい。
【００３３】
本体ケース２は、図２Ａ及び図２Ｂに示すように、内部に空間が設けられた耐熱性の高い合成樹脂等からなる円筒状部材で形成されている。この本体ケース２の内部空間には、送風装置１１と、送風装置１１から送られた空気を加温するヒータ１４と、が収納されている。また、本体ケース２の電源コード４が設けられた側の端部には外部から本体ケース２内に空気を取り入れるための吸気口１５が設けられており、吸気口１５が設けられた端部の反対側に位置する端部には、アイロン部材３に空気を供給するための吐風口１６が設けられている。
【００３４】
送風装置１１はモータ１２とファン１３とで構成されており、モータ１２を作動してファン１３を回転させることにより吸気口１５から空気を取り入れ、取り入れた空気を吐風口１６に供給する。また、ヒータ１４は、例えば空気の流路に沿って複数枚の放熱板が設けられるとともに、この放熱板の外縁をつなぐようにニクロム線（図示せず）等が熱源として巻かれて構成されている。
【００３５】
さらに、本体ケース２の側壁面には、送風装置１１及びヒータ１４の駆動を操作するスイッチ１７と、吐風口１６の近傍に設けられて吐風口１６に取付けられるアイロン部材３を着脱自在に固定する係止部材１８が設けられている。なお、係止部材１８は公知の固定機構、例えば先端部に鉤状片を有し、この鉤状片を本体ケース２の外面に設けられた押しボタンを押圧することで操作する機構が採用される。
【００３６】
さらにまた、送風装置１１とヒータ１４との間にイオン発生器１９を設けると好ましい。なお、イオン発生器１９の構成は公知のものを用いるため、その説明は省略する。このようにイオン発生器１９を設けると、吐風口１６から供給される温風等にマイナスイオンを含有させることができるので、毛髪にマイナスイオンを供給できるようになり、毛髪に潤いを与えながら整髪することができるようになる。
【００３７】
次に、アイロン部材３の構成について主に図３を参照して説明する。
【００３８】
アイロン部材３は、図３に示すように、本体ケース２から供給される温風が通過するように内部に空間が形成された筒状体からなる支持体２１と、支持体２１の一部を覆うようにこの支持体２１に枢支された第１、第２クリップ３０、４０と、から構成されている。
【００３９】
支持体２１は、本体ケース２の吐風口１６が設けられた端部の外周囲を覆うように円筒状に形成されて内部に係止部材１８に係合する係止溝（図示省略）が形成された取付け部２２と、側壁に円形の吹出し孔２４を複数個有し、この側壁の一部に平坦面からなる第１支持面５０が形成されるとともに他の側壁が円弧状に湾曲した筒状体からなる胴部２３と、胴部２３の円弧状に湾曲した側壁に取付けられる円形の吹出し孔２５Ａを複数個有する化粧板２５と、胴部２３の先端に回動自在に枢支された蓋体２６と、から構成されている。また、胴部２３の取付け部２２側の端部には第１、第２クリップ３０、４０を枢支する枢支軸２７が形成されており、更にこの胴部２３の、特に第１支持面５０の取付け部２２側の端部近傍には、第１、第２クリップ３０、４０を付勢する、例えばトーションバネで形成された弾性部材２８が形成されている。なお、このトーションバネからなる弾性部材は、後述する第１、第２作動レバー３４、４４のそれぞれを付勢するように端部が分岐されて形成されている（図３参照）。
【００４０】
上記構成のうち、胴部２３は内部に空間を有するほぼ円筒体で形成されており、この胴部２３の内部にはスチーム発生器２９（図２参照）が配設されると好ましい。このスチーム発生器２９は、例えば、水を貯留するタンク２９ａと、温風等にタンク２９内の水を含有させるためのフィルタ２９ｂとから構成されており、本体ケース２の吐風口１６から供給される温風等がフィルタ２９ｂに接触することで、この温風等内にスチームが含有されるようになっている。なお、このスチーム発生器２９あるいはこのスチーム発生器２９の有するタンク２９ａ等の着脱作業は、胴部２３の先端に設けられた蓋体２６を開閉させて行う。
【００４１】
さらに、この胴部２３の側壁に設けられた吹出し孔２４は比較的大径に、詳しくは化粧板２５に設けられた複数個の吹出し孔２５Ａより大径に形成されている。また、化粧板２５は方形状の板材を湾曲成形することで形成されるものであり、胴部２３に取付けた際に胴部２３の吹出し孔２４に連通する位置に複数個の吹出し孔２５Ａが設けられている。
【００４２】
また、この胴部２３の側壁の一部に形成された平坦面からなる第１支持面５０は、その内部に複数個の吹出し孔５１が形成されるとともに、その長手方向に延びる両側壁に沿って、くし歯状の突起５２が複数個設けられている。さらに、この第１支持面５０の先端部には、第１クリップ３０を位置決め固定するための支持突起５３が形成されている。なお、この支持突起５３は突起５２より背高に形成されており、支持突起５３により第１クリップ３０が位置決めされた際に、第１支持面５０と第１クリップ３０に形成される後述する第１押さえ面５５との間に所定の隙間が形成されるようになっている。また、第１支持面５０に形成された吹出し孔５１は、胴部２３の円形側壁及び化粧板２５に形成された他の吹出し孔２４、２５Ａに比して大径となるように、例えば長円状に形成されている。これにより、本体ケース２から供給された温風または冷風は主に吹出し孔５１から供給されることになる。
【００４３】
第１クリップ３０は、実質的に逆くの字状に形成された第１クリップ本体３１と、第１クリップ本体３１の後述する第１押さえ片３３に取付けられる中空部材３５と、から構成されている。
【００４４】
このうち、第１クリップ本体３１は、実質的に逆くの字状の屈曲部分が枢支軸２７に枢支される支点３２を形成し、この支点３２から第１支持面５０に沿って延びる片が第１押さえ片３３を形成し、さらに支点３２からこの第１押さえ片３３に対して反対側に延びる片が第１作動レバー３４を形成している。
【００４５】
第１押さえ片３３は、断面がかまぼこ型の部材で形成されており、さらに、その長手方向に沿って複数本のスリット３３Ａが形成されている。そして、この第１押さえ片３３は、一方の面が平坦面からなる第１押さえ面５５を構成し、この第１押さえ面５５の反対側の面が円弧状に湾曲した面からなる第２支持面６０を構成し、更にこの第１押さえ面５５と第２支持面６０との間に空洞部３６が形成された中空部材３５の空洞部３６内に挿入・固定される。この中空部材３５は、一端が開放し、他端が閉鎖した断面が略かまぼこ型の筒状体で形成されており、また、この中空部材３５の第１押さえ面５５と第２支持面６０には複数個の連通孔５６、６１が形成されている。なお、この連通孔５６、６１は、円形状又はスリット状に形成されている。このような構成を備えることにより、例えば中空部材３５の第１押さえ面５５を胴部２３の第１支持面５０に当接させた状態では、第１支持面５０の吹出し孔５１から供給される温風等は、第１押さえ面５５の連通孔５６（図２Ｂ参照）、第１押さえ片３３のスリット３３Ａ、及び第２支持面６０の連通孔６１の順に通過して、第２支持面６０に供給されることになる。
【００４６】
中空部材３５の円弧状に形成された第２支持面６０の湾曲面は、支持体２１の胴部２３の円弧状に形成された側壁と同一軸心且つ同一半径で形成されたものであると好ましい。このように第２支持面６０を胴部２３の円弧状側壁と同一の円の一部から形成することにより、第１支持面５０と第１押さえ面５５とを当接させた状態でアイロン部材３がほぼ円筒状となり、美観上好ましいものとなる。
【００４７】
また、第１クリップ本体３１の第１作動レバー３４は、支点３２から垂直に延設した基部３４Ａと、この基部３４Ａの先端部から所定角度で屈曲するように延在する操作部３４Ｂと、で形成されている。このうち、操作部３４Ｂはユーザの指による操作を行う部分となる。また、基部３４Ａには、その中心部分に切り欠き３４Ｃが形成されており、この切り欠き３４Ｃは後述する第２作動レバー４４が挿通される部分であり、第２作動レバー４４の可動域に合わせてその大きさが調節されている。
【００４８】
第２クリップ４０は、実質的に逆くの字状に形成された第２クリップ本体４１からなる。この第２クリップ本体４１は、第１クリップ本体３１と同様に、実質的に逆くの字状の屈曲部分が枢支軸２７に枢支される支点４２を形成し、この支点４２から第２支持面６０に沿って延びる片が第２押さえ片４３を形成し、さらに支点４２からこの第２押さえ片４３に対して反対側に延びる片が第２作動レバー４４を形成している。
【００４９】
このうち、第２押さえ片４３の第２支持面６０に対向する面が第２押さえ面６５を形成しており、また、この第２押さえ片４３の第２支持面６０に設けられた連通孔６１の延長線上に位置する部分には吹出し孔６６が形成されている。この吹出し孔６６は、連通孔６１から供給される温風等の風圧により第２クリップ４０が持ち上がることを防止するために設けられたものである。
【００５０】
また、第２作動レバー４４は、第１作動レバー３４に比して幅狭に且つ長尺に形成された板状体で形成されている。そして、この第２作動レバー４４は第１作動レバー３４に形成された切り欠き３４Ｃに挿通されている。また、この第２作動レバー４４の先端部の上面には、ユーザの指による操作が容易に行えるように、例えば合成樹脂で形成された操作板４４Ａが取付けられている。
【００５１】
次に、上述の構成からなるアイロン部材３を有するヘアーアイロン１の使用方法について、図４及び図５を参照して説明する。
【００５２】
初めに、例えばユーザがはね毛やくせ毛を真っ直ぐに矯正したい場合には、図４に示すように、第１支持面５０及び第１押さえ面５５からなる第１挟持領域に毛髪を挟んで毛髪の矯正を実行する。詳しくは、ユーザは、先ずスイッチ１７を操作して送風装置１１及びヒータ１４を作動させ、温風あるいは冷風をアイロン部材３に供給する。そして、この状態でユーザは本体ケース２把持し、指で第１作動レバー３４の操作部３４Ｂをアイロン部材３の取付け部２２側に弾性部材２８の付勢力に抗して押し下げることにより第１、第２クリップ３０、４０を回動させて、第１支持面５０と第１押さえ面５５との間を大きく開口する。次いで、ユーザは矯正したい毛髪をこの開口した第１支持面５０と第１押さえ面５５との隙間に挿入し、操作部３４Ｂの押し下げを解除する。すると弾性部材２８の付勢力により第１、第２クリップ３０、４０が回動して第１押さえ面５５が第１支持面５０に近接し、第１挟持領域に挿入された毛髪を挟持した状態となる。この状態で毛髪を櫛でとかすようにヘアーアイロン１を動作させることにより、毛髪が真っ直ぐに矯正することができる。
【００５３】
また、例えばユーザがカールやウェーブ等を行いたい場合には、図５に示すように、第２支持面６０及び第２押さえ面６５からなる第２挟持領域に毛髪を挟んでカールやウェーブ等を行う。詳しくは、ユーザは、上記毛髪を矯正する場合と同様に、スイッチ１７を操作して送風装置１１及びヒータ１４を作動させ、温風あるいは冷風をアイロン部材３に供給する。そして、この状態でユーザは本体ケース２把持し、指で第２作動レバー２４の操作板４４Ａをアイロン部材３の取付け部２２側に弾性部材２８の付勢力に抗して押し下げることにより第２クリップ４０のみを回動させて、第２支持面６０と第２押さえ面６５との間を大きく開口する。次いで、ユーザは矯正したい毛髪をこの開口した第２支持面６０と第２押さえ面６５との隙間に挿入し、操作板４４Ａの押し下げを解除する。すると弾性部材２８の付勢力により第２クリップ４０が回動して第２押さえ面６５が第２支持面６０に近接し、第２挟持領域に挿入された毛髪を挟持した状態となる。この状態で毛髪を櫛でとかすようにヘアーアイロン１を動作させることにより、毛髪にカールやウェーブ等を行うことができる。
【００５４】
なお、第２挟持領域を用いて毛髪にカールやウェーブ等を行う場合には、送風装置１１から供給される温風等は第１支持面５０の吹出し孔５１から供給された後、この吹出し孔５１に対向するように形成された複数の連通孔５６及びスリット３３Ａを介して第２支持面６０の連通孔６１に供給されるので、この連通孔６１に供給される温風等の供給量も確保することができるので、カールやウェーブ等を行うための十分な温風量を確保することが可能となる。
【００５５】
また、弾性部材２８は第１、第２作動レバー３４、４４をそれぞれ独立して付勢しており、加えて、第２作動レバー４４は第１作動レバー３４の切り欠き３４Ｃに挿入されることで第１作動レバー３４の下方に位置している。したがって、操作板４４Ａを操作すれば第２クリップ４０を第１クリップ３０とは独立して操作でき、また、操作部３４Ｂを操作すれば操作板４４Ａを操作しなくても第１、第２クリップ３０、４０を同時に操作することが可能となる。
【００５６】
なお、上記実施形態にかかるヘアードライヤ１においては、第１挟持領域を互いに平坦面で形成された第１支持面５０と第１押さえ面５５とで形成し、第２挟持領域を互いに縁故状に湾曲した面で形成された第２支持面６０と第２押さえ面６５とで形成した例について説明したが、挟持領域の形状はこの組み合わせに限定されることはなく、適宜その面形状を変更することが可能である。
【図面の簡単な説明】
【００５７】
【図１】図１は本発明の一実施形態に係るヘアードライヤの斜視図である。
【図２】図２Ａは図１のヘアードライヤの平面図、図２Ｂは図２ＡのIIＡ−IIＡ線で切断した断面図である。
【図３】図３はアイロン部材の分解斜視図である。
【図４】図４は第１クリップ作動時のアイロン部材を示す斜視図である。
【図５】図５は第２クリップ作動時のアイロン部材を示す斜視図である。
【図６】図６は従来技術の髪処理装置の側面図である。
【図７】図７は他の従来技術のヘアードライヤの分解斜視図である。
【符号の説明】
【００５８】
１：ヘアーアイロン  ２：本体ケース  ３：アイロン部材  ４：電源コード  １１：送風装置  １４：ヒータ  １５：吸気口  １６：吐風口  １９：イオン発生器  ２１：支持体  ２２：取付け部  ２３：胴部  ２４、２５Ａ、５１、６６：吹出し孔  ２５：化粧板  ２６：蓋体  ２７：枢支軸  ２８：弾性部材  ２９：スチーム発生器  ３０：第１クリップ  ３１：第１クリップ本体  ３２、４２：支点  ３３：第１押さえ片  ３３Ａ：スリット  ３４：第１作動レバー  ３５：中空部材  ３６：空洞部  ４０：第２クリップ  ４１：第２クリップ本体  ４３：第２押さえ片  ４４：第２作動レバー  ５０：第１支持面  ５２：突起  ５３：支持突起  ５５：第１押さえ面  ５６、６１：連通孔  ６０：第２支持面  ６５：第２押さえ面
【図１】
2009136304.tif 000003
【図２】
2009136304.tif 000004
【図３】
2009136304.tif 000005
【図４】
2009136304.tif 000006
【図５】
2009136304.tif 000007
【図６】
2009136304.tif 000008
【図７】
2009136304.tif 000009